【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を前面に備えた遊技板と、
前記遊技板の前面から突出し、前記遊技領域を包囲する包囲壁と、
前記遊技領域の左上縁部に設けられ、遊技球を前記遊技領域に打ち込むための進入口と、
前記進入口から前記包囲壁に沿って遊技球を前記遊技領域の右側流下エリアへと案内する右打専用通路と、を備えた遊技機において、
前記右打専用通路は、前記右打専用通路を上下方向に屈曲させてなる減速屈曲部を備え、左右方向に延びて前記減速屈曲部の左側部分を構成する左上側通路と、前記左上側通路に対して下方にずれかつ前記左上側通路の右方で左右方向に延びて前記減速屈曲部の右側部分を構成する右下側通路と、前記左上側通路と前記右下側通路との間を連絡して前記減速屈曲部の途中部分を構成する中間通路と、を有し、
前記中間通路のうち前記左上側通路の延長領域より下側部分に、前後方向に傾斜した傾斜付きの前後段差部を設けた、ことを特徴とする遊技機。
【手続補正２】
【補正対象書類名】明細書
【補正対象項目名】０００４
【補正方法】変更
【補正の内容】
【０００４】
しかしながら、上述した従来の遊技機では、右打専用通路を通過する遊技球が包囲壁に案内されて単調に通過するに過ぎず、趣向性に欠けていた。
【手続補正３】
【補正対象書類名】明細書
【補正対象項目名】０００５
【補正方法】変更
【補正の内容】
【０００５】
本発明は、上記事情に鑑みてなされたもので、右打専用通路における遊技球の動きを従来よりも趣向性の高いものにすることが可能な遊技機の提供を目的とする。
【手続補正４】
【補正対象書類名】明細書
【補正対象項目名】０００６
【補正方法】変更
【補正の内容】
【０００６】
上記目的を達成するためになされた請求項１の発明は、遊技球が流下可能な遊技領域を前面に備えた遊技板と、前記遊技板の前面から突出し、前記遊技領域を包囲する包囲壁と、前記遊技領域の左上縁部に設けられ、遊技球を前記遊技領域に打ち込むための進入口と、前記進入口から前記包囲壁に沿って遊技球を前記遊技領域の右側流下エリアへと案内する右打専用通路と、を備えた遊技機において、前記右打専用通路は、前記右打専用通路を上下方向に屈曲させてなる減速屈曲部を備え、左右方向に延びて前記減速屈曲部の左側部分を構成する左上側通路と、前記左上側通路に対して下方にずれかつ前記左上側通路の右方で左右方向に延びて前記減速屈曲部の右側部分を構成する右下側通路と、前記左上側通路と前記右下側通路との間を連絡して前記減速屈曲部の途中部分を構成する中間通路と、を有し、前記中間通路のうち前記左上側通路の延長領域より下側部分に、前後方向に傾斜した傾斜付きの前後段差部を設けたことを特徴とする遊技機である。
【手続補正５】
【補正対象書類名】明細書
【補正対象項目名】０００７
【補正方法】変更
【補正の内容】
【０００７】
請求項１の構成では、右打専用通路における遊技球の動きを従来の遊技機にはない斬新な動きにすることができ、趣向性が高まる。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００３３
【補正方法】変更
【補正の内容】
【００３３】
図４に示すように遊技板１１の中央開口部１１Ａの右上角部には中央開口部１１Ａを外側に拡張した樋収容部１１Ｋが形成されている。そして、弾通過樋４７をこの樋収容部１１Ｋに収容されるように後方に屈曲することで樋屈曲部５０が形成され（図９参照）、この樋屈曲部５０の内部が屈曲通路５０Ｒとなっている。つまり、樋収容部１１Ｋを設けることで樋屈曲部５０を遊技板１１側に屈曲させて配置することができるように構成されている。
【手続補正９】
【補正対象書類名】明細書
【補正対象項目名】００３９
【補正方法】変更
【補正の内容】
【００３９】
右打導入通路Ｒｃに進入した遊技球は、まず減速屈曲部４２を通過する。減速屈曲部４２では、上側通路４５を右方へ移動する遊技球が緩衝部材４１に衝突して減速され、その下方に配された下側通路４６へ案内される。なお、比較的緩やかに右打導入通路Ｒｃに進入した遊技球は、緩衝部材４１に衝突せずに下側通路４６に向かう場合もある。
【手続補正１０】
【補正対象書類名】明細書
【補正対象項目名】００４０
【補正方法】変更
【補正の内容】
【００４０】
下側通路４６へ案内された遊技球はさらに右方へ向けて転動して樋屈曲部５０の導入部５０Ｄへと突入し、傾斜屈曲部５０Ｂによって導入部５０Ｄより後方に位置する干渉回避部５０Ａへ案内される。このとき、上流側に設けられた減速屈曲部４２で遊技球の速度が減速されているので、通路前面カバー５５の上流側部分に遊技球が衝突したときの衝撃が抑えられ、通路前面カバー５５にかかる負担が軽減される。その後、遊技球は、干渉回避部５０Ａを通過して、傾斜屈曲部５０Ｃを通り導出部５０Ｅから抜け出す。
【手続補正１１】
【補正対象書類名】明細書
【補正対象項目名】００４４
【補正方法】変更
【補正の内容】
【００４４】
また、屈曲通路５０Ｒが、表示窓の開口縁に沿って延びた干渉回避部５０Ａが設けられた樋屈曲部５０の内側に構成されているので、屈曲通路５０Ｒを前方から認識しやすくすることができる。しかも、通路前面カバー５５が、透明又は半透明な部材で構成されているので、屈曲通路５０Ｒ内の遊技球の動きが視認可能となる。
【手続補正１２】
【補正対象書類名】明細書
【補正対象項目名】００４５
【補正方法】変更
【補正の内容】
【００４５】
また、樋屈曲部５０における導入部５０Ｄ及び導出部５０Ｅと干渉回避部５０Ａとの間に傾斜屈曲部５０Ｂ，５０Ｃが設けられているので、導入部５０Ｄから干渉回避部５０Ａへ向かう遊技球及び干渉回避部５０Ａから導出部５０Ｅへ向かう遊技球をスムーズに通過させることができ、屈曲通路５０Ｒでの球詰まりが防がれる。
【手続補正１３】
【補正対象書類名】明細書
【補正対象項目名】００４７
【補正方法】変更
【補正の内容】
【００４７】
さらに、通路前面カバー５５に導出部５０Ｅを前方から覆う導出部カバー５５Ｅが備えられているので、干渉回避部５０Ａから導出部５０Ｅに向かって前方に誘導された遊技球が通路前面カバー５５の前方に飛び出してガラス窓１０Ｗに衝突することが防がれる。
【手続補正１４】
【補正対象書類名】明細書
【補正対象項目名】００５８
【補正方法】変更
【補正の内容】
【００５８】
１０    遊技機
１１    遊技板
１２Ａ    第１ガイドレール（包囲壁）
１２Ｂ    第２ガイドレール（包囲壁）
１３    表示装置（演出装置）
１６    区画レール（包囲壁）
１９    進入口
２３    表示装飾枠
２３Ａ    表示窓
２３Ｆ    張出し部
４１    緩衝部材
４２    減速屈曲部
４７    弾通過樋
５０    樋屈曲部
５０Ａ    干渉回避部
５０Ｂ，５０Ｃ    傾斜屈曲部
５０Ｄ    導入部
５０Ｅ    導出部
５０Ｒ    屈曲通路
５５    通路前面カバー
５５Ａ    干渉回避カバー部
５５Ｅ    導出部カバー
８０    窓内装飾部材
８０Ｋ    装飾拡張部
Ｒ１    遊技領域
Ｒａ    左側流下エリア
Ｒｂ    右側流下エリア
Ｒｃ    右打導入通路
【手続補正１５】
【補正対象書類名】図面
【補正対象項目名】図１０
【補正方法】変更
【補正の内容】
【図１０】
2017087034.tif 000001